(57)【要約】【課題】  昇降式日射遮蔽装置を設けた窓から侵入者が室内に侵入することを防止する防犯装置を提供する。【解決手段】  窓枠又は壁面に固定されて下限位置にある日射遮蔽装置のボトムレール又はウェイトバー若しくはグリップを部分的に前後から囲む前後壁部を備える本体と、その本体に設けられて前記前後壁部の上部においてボトムレール又はウェイトバー若しくはグリップが出入りする門を形成する門部材とからなる防犯装置において、門部材が開門すると、ボトムレール又はウェイトバー若しくはグリップの本体内への下降及び本体内からの上昇は自由となり、門部材が閉門すると、ボトムレール又はウェイトバー若しくはグリップの本体内からの上昇は規制されるようにする【選択図】      図１
2006322211.tif 000002
【特許請求の範囲】
【請求項１】
窓枠又は壁面に固定されて下限位置にある昇降式日射遮蔽装置のボトムレール又はウェイトバー若しくはグリップを部分的に前後から囲む前後壁部を備える本体と、前記本体に設けられて前記前後壁部の上部において前記ボトムレール又はウェイトバー若しくはグリップが出入りする門を形成する門部材とからなり、前記門部材が開門するとき、前記ボトムレール又はウェイトバー若しくはグリップの前記本体内への下降及び前記本体内からの上昇は自由となり、前記門部材が閉門するとき、前記ボトムレール又はウェイトバー若しくはグリップの前記本体内からの上昇は規制されることを特徴とする昇降式日射遮蔽装置の防犯装置。
【請求項２】
本体は、前後壁部に前後方向に貫通する取付孔を備え、門部材は、前記取付孔に前方から挿入される脱着可能な門であり、前記取付孔から離脱すると開門し、前記取付孔に装着すると閉門することを特徴とする請求項１に記載の昇降式日射遮蔽装置の防犯装置。
【請求項３】
本体は、前記前壁部上端に前後方向に通る溝を備え、門部材は、前記溝の両側に軸着されて回動可能な門であり、手動回動により開門し、自重回動により閉門することを特徴とする請求項１に記載の昇降式日射遮蔽装置の防犯装置。
【請求項４】
門部材は、振動又は圧力を検知するセンサーと、前記センサーからの検知信号に基づいて警報を発する警報装置を備えることを特徴とする請求項２又は３に記載の昇降式日射遮蔽装置の防犯装置。
【請求項５】
本体は、前後両壁部の内面にボトムレール又はウェイトバーの飛び出しを抑制するリブを備えることを特徴とする請求項２又は３に記載の昇降式日射遮蔽装置の防犯装置。
【請求項６】
本体は、後壁部上端に前方に折れる突起を備え、門部材が開門するとき、前記突起と前記門部材の間の空隙は、前後幅がボトムレール又はウェイトバーの前後幅よりも広く、門部材が閉門するとき、前記突起と前記門部材の間の空隙は、前後壁部の中央に位置し、前後幅がボトムレール又はウェイトバーの前後幅よりも狭いことを特徴とする請求項３に記載の昇降式日射遮蔽装置の防犯装置。
【請求項７】
本体は、振動又は圧力を検知するセンサーと、前記センサーからの検知信号に基づいて警報を発する警報装置を備え、門部材は、閉門するとき、端部が前記振動又は感圧センサーと当接することを特徴とする請求項６に記載の昇降式日射遮蔽装置の防犯装置。
【発明の詳細な説明】
【技術分野】
【０００１】
本発明は、昇降式日射遮蔽装置の防犯装置に関する。
【背景技術】
【０００２】
横型ブラインド、ロールブラインド、プリーツスクリーン、ローマンシェード等の昇降式日射遮蔽装置に使用する従来の防犯装置は、窓からの侵入者が下限位置に下降しているボトムレール又はウェイトバーを持ち上げて室内には入ろうとするときに起きる上下スラットの接触、ボトムレールの揺れ、昇降コードの弛み等をセンサーが検知してアラームを鳴動させる方式である。このように、従来の防犯装置は、不審者の侵入を知らせることはできるが、侵入自体を防止することはできないという問題がある。
【特許文献１】特開２００３−１９３７７０号公報
【発明の開示】
【発明が解決しようとする課題】
【０００３】
本発明は、上記問題を解決するためになされたものであり、その課題は、昇降式日射遮蔽装置の全閉時に、窓からの侵入者がボトムレール又はウェイトバーを持ち上げて室内に侵入すること自体を防止する防犯装置を提供することである。
【課題を解決するための手段】
【０００４】
前記課題を達成するため、本発明が採用する手段は、窓枠又は壁面に固定されて下限位置にある日射遮蔽装置のボトムレール又はウェイトバー若しくはグリップを部分的に前後から囲む前後壁部を備える本体と、その本体に設けられて前記前後壁部の上部においてボトムレール又はウェイトバー若しくはグリップが出入りする門を形成する門部材とからなる防犯装置において、門部材が開門すると、ボトムレール又はウェイトバー若しくはグリップの本体内への下降及び本体内からの上昇は自由となり、門部材が閉門すると、ボトムレール又はウェイトバー若しくはグリップの本体内からの上昇は規制されるようにするこよである。
【発明の効果】
【０００５】
上記手段により、本発明の防犯装置は、昇降式日射遮蔽装置の全閉時に、門部材を閉門すると、ボトムレール又はウェイトバーの持ち上げは不可能となるから、窓からの侵入者がボトムレール又はウェイトバーを持ち上げて室内に侵入することを防止することができる。
【発明を実施するための最良の形態】
【０００６】
横型ブラインド又はグリップ付きロールブラインドに使用する防犯装置の場合、本体は、前後両壁部を備え、横断面が上方に開口するコ字形とし、前後両壁部に前後方向に貫通する取付孔を設け、門部材は、その取付孔に前方から挿脱可能な棒状又は板状とし、取付孔に挿入して本体に装着すると閉門し、引き抜くと開門することが好ましい。門部材が開門すると、本体の上部が開くから、横型ブラインドのボトムレール又はロールブラインドのグリップを本体上方から下限位置へ下降することも、下限位置から本体の上方へ上昇させることも可能である。門部材が閉門すると、本体の上部が閉じるから、ボトムレール又はグリップを本体内から上昇させることはできない。
【０００７】
横型ブラインド又はグリップ付きロールブラインド以外の昇降式日射遮蔽装置にも使用可能な防犯装置の場合、本体は、前後両壁部を備え、前壁部の上端に前後方向に通る溝を、後壁部上端に前方に折れる突起をそれぞれ設け、門部材は、本体前壁部上端の溝の両側に軸着し、自重回動により閉門し、手動回動により開門する形状とすることが好ましい。門部材が開門するとき、突起と門部材の間の空隙は、前後幅がボトムレール又はウェイトバーの前後幅よりも広く、門部材が閉門するとき、突起と門部材の間の空隙は、前後両壁部の中央に位置し、前後幅がボトムレール又はウェイトバーの前後幅よりも狭い。
【０００８】
本体の前後両壁部内面に、ボトムレール又はウェイトバーの飛び出しを抑制するリブを設け、本体と門部材の一方又は双方に、振動又は感圧センサーと、前記センサーからの検知信号に基づいて警報を発する警報装置を設ける。本体に振動又は感圧センサーと警報装置を設ける場合、門部材は、閉門するとき、前端部が振動又は感圧センサーと当接することが好ましい。
【実施例１】
【０００９】
本発明を図面に示す実施例に基づいて説明する。図１は本発明防犯装置の実施例の分解斜視図、図２は図１の防犯装置を備える横型ブラインドの略側面図であり、（ａ）は開門状態、（ｂ）は閉門状態、（ｃ）はボトムレールが持ち上げられて門部材と当接する状態をそれぞれ示す。図３及び図４は、図１の防犯装置を備えるグリップ付きロールブラインドの立面図及び略側面図である。
【００１０】
図１に示す実施例の防犯装置１は、本体２と門部材３とからなり、本体２は、横断面が上方に開口するコ字形であり、直立する前後壁部４、５を備える。前後壁部４、５には、取付孔６，７が穿設され、取付孔６、７には、板状の門部材３が前側から挿入される。門部材３は、前後壁部４、５の上部において本体２内部へ出入りするための門となる。前後両壁部４、５の内面上部には、柔軟なリブ８が設けられ、門部材３には、振動センサー９と警報装置１０が内装される。警報装置１０は、電源を備え、操作スイッチがオンのとき、振動センサー１０が振動を検知するとアラームが鳴動し、操作スイッチをオフとすると、アラームは作動を停止する。
【００１１】
図２（ａ）に示すように、防犯装置１は、本体２を窓枠１１に固定し、門部材を外すと、本体２の上部は開門状態となるから、横型ブラインド１２は、ボトムレール１３を本体２の上方から下限位置へ下降することも、下限位置から本体２の上方へ上昇させることも可能である。ボトムレール１３が下限位置にあるとき、前後のリブ８は、ボトムレール１３と最下段のスラット１４の間において前後両壁部４、５の内面上部から斜め下方に突出してボトムレール１３の飛び上がりを抑制するから、横型ブランド１２が風で踊っても、不用意な接触で押し引きされても、ボトムレール１３が本体２の内部からの飛び出すおそれはない。
【００１２】
図２（ｂ）に示すように、本体２の取付孔に板状の門部材３を前側から挿入すると、本体２の上部は閉門状態となるから、門部材３の下に位置するボトムレール１３は本体２内に拘束され、下限位置に止まり上昇することはできない。これにより、横型ブラインドの全閉時に、侵入者が横型ブラインドのボトムレール１３を持ち上げて室内に侵入すること自体を防止することができる。
【００１３】
操作スイッチがオンのとき、図２（ｃ）に矢印Ａで示すように、窓からの侵入者が室内に入ろうとしてボトムレール１３を持ち上げると、ボトムレール１３は門部材３に当接して衝撃を与えるから、門部材３内の振動センサー９が振動を検知して警報装置１０を鳴動させる。侵入者がボトムレール持ち上げを妨げる門部材３に気付いて門部材３を抜き取ると、振動センサー９が門部材３の移動を検知して警報装置１０を作動させ、侵入警報を発する。
【００１４】
図３及び図４に示すように、この防犯装置１はグリップ付きロールブラインド１５にも適用することができる。門部材３を外してロールブラインド１５のグリップ１６を本体２の上方から下限位置へ下降する。そこで、門部材３を本体２に装着し、グリップ１６を貫通させると、本体２の上部は閉門するから、グリップ１６は本体２内に拘束され、下限位置に止まる。このように、防犯装置１は、ロールブラインド１５のグリップ１６を拘束し、侵入者がロールブラインド１６のウェイトバー１７を持ち上げて室内に侵入することを防止する。
【実施例２】
【００１５】
図５は本発明防犯装置の別の実施例の分解斜視図、図６は、図５の防犯装置の開閉を示す図であり、（ａ）は開門状態、（ｂ）は閉門状態をそれぞれ示す。図７は、図５の防犯装置を備えるロールブラインドの略側面図であり、（ａ）は開門状態、（ｂ）は閉門状態をそれぞれ示す。図８及び図９は、図５の防犯装置を備えるプリーツスクリーン及びローマンシェードの略側面図である。
【００１６】
図５に示す実施例の防犯装置１ａは、本体２ａと門部材３ａとからなり、本体２ａは、横断面が上方に開口するコ字形であり、前後に直立する前後壁部４ａ、５ａを備える。前壁部４ａの上端部中央には、前後方向に通る溝１８が設けられ、その溝１８の両内側に横断面Ｌ字形の門部材３ａが上下回動可能に軸着される。門部材３ａは、前後壁部４ａ、５ａの上部において本体２ａの内部へ出入りするための門となる。前後両壁部４ａ、５ａの内面上部には、柔軟なリブ８ａが設けられ、後壁部５ａの上端部中央には前方に突出する突起１９が設けられる。前壁部４ａの下半部に警報装置１０ａが付設され、警報装置１０ａの上面には感圧センサー９ａが配置される。
【００１７】
図６（ａ）に示すように、手で門部材３ａの前端を上げると、門部材３ａは開門し、突起１９との間の空隙は、ボトムレール又はウェイトバーの前後幅よりも広くなる。そこで、手を放すと、図６（ｂ）に示すように、自重で前端が下がり、門部材３ａは閉門し、突起１９との間の空隙は、ボトムレール又はウェイトバーの前後幅よりも狭くなるが、その上のスクリーンの前後幅よりは広い。この狭い空隙は、前後両壁部４ａ、５ａの間の中央に位置する。門部材３ａは閉門すると、前端が警報装置１０ａ上面の感圧センサー９ａに当接し、門部材３ａはそれ以上回動することはできない。
【００１８】
防犯装置１ａはグリップのないロールブラインド１５ａに適用することができる。図７（ａ）に示すように、防犯装置１ａは、本体２ａを窓枠１１に固定し、手で門部材３ａの前端を上げると、本体２ａの上部は開門するから、ロールブラインド１５ａのウェイトバー１７ａは、本体２ａの上方から下限位置へ下降することも、下限位置から本体２ａの上方へ上昇することも自由である。しかし、本体２ａの前後両壁部４ａ、５ａ内面上部からリブ８ａが斜め下方に突出してウェイトバーの飛び上がりを抑制するから、ロールブラインドが風で踊っても、又は、不用意な接触で押し引きされても、ウェイトバーが本体の内部からの飛び出すおそれはない。
【００１９】
図７（ｂ）に示すように、門部材３ａを放すと、前端は自重で下がり本体２ａの上部は閉門状態となるから、ウェイトバー１７ａは本体２ａ内に拘束され、下限位置に止まり上昇することはできない。これにより、ロールブラインド１５ａの全閉時に、侵入者がロールブラインド１５ａのウェイトバー１７ａを持ち上げて室内に侵入することを防止する。
【００２０】
門部材３ａは、閉門すると、前端が警報装置１０ａの感圧センサー９ａに接するから、窓からの侵入者が室内に入ろうとしてウェイトバー１７ａを持ち上げると、ウェイトバー１７ａにより門部材３ａは後端が押し上げられ前端が感圧センサー９ａを押圧する。このとき、操作スイッチがオンであると、感圧センサー９ａが圧力を検知して警報装置１０ａのアラームを鳴動させ侵入警報を発する。
【００２１】
防犯装置１ａは、図８及び図９に示すように、プリーツスクリーン２０及びローマンシェード２１にも適用することができる。門部材３ａを開門すると、プリーツスクリーン２０のボトムレール１３ａも、ローマンシェード２１のボトムレール１３ｂも本体２ａの内部に出入自在であるが、門部材３ａを閉門すると、ボトムレール１３ａ、１３ｂは本体２ａ内に拘束され、上昇不可となるから、全閉時に、侵入者がボトムレール１３ａ、１３ｂを持ち上げて室内に侵入することを防止する。又、警報装置１０ａの操作スイッチをオンにしておくと、感圧センサー９ａが侵入者のボトムレール持ち上げを検知してアラームを鳴動させる。
【図面の簡単な説明】
【００２２】
【図１】本発明防犯装置実施例の分解斜視図、
【図２】図１の実施例を備える横型ブラインドの側面図であり、（ａ）は開門状態、（ｂ）は閉門状態、（ｃ）はボトムレールが持ち上げられて規制部材と当接する状態をそれぞれ示す。
【図３】図１の防犯装置を備えるグリップ付きロールブラインドの立面図、
【図４】図３のグリップ付きロールブラインドの略側面図、
【図５】本発明防犯装置の別の実施例の分解斜視図、
【図６】図５の防犯装置の開閉を示す図、（ａ）は開門状態、（ｂ）は閉門状態をそれぞれ示す図、
【図７】図５の防犯装置を備えるロールブラインドの略側面図、（ａ）は開門状態、（ｂ）は閉門状態をそれぞれ示す図、
【図８】図５の防犯装置を備えるプリーツスクリーンの略側面図、
【図９】図５の防犯装置を備えるローマンシェードの略側面図。
【符号の説明】
【００２３】
１、１ａ：防犯装置
２、２ａ：本体
３、３ａ：門部材
４、４ａ：前壁部
５、５ａ：後壁部
６：取付孔
７：取付孔
８、８ａ：リブ
９、９ａ：振動センサー
１０、１０ａ：警報装置
１１：窓枠
１２：横型ブラインド
１３：ボトムレール
１４：スラット
１５、１５ａ：ロールブラインド
１６：グリップ
１７、１７ａ：ウェイトバー
１８：溝
１９：プリーツスクリーン
２０：ローマンシェード
【図１】
2006322211.tif 000003
【図２】
2006322211.tif 000004
【図３】
2006322211.tif 000005
【図４】
2006322211.tif 000006
【図５】
2006322211.tif 000007
【図６】
2006322211.tif 000008
【図７】
2006322211.tif 000009
【図８】
2006322211.tif 000010
【図９】
2006322211.tif 000011